(57)【特許請求の範囲】
【請求項１】
３本以上の支柱ユニットと、これら支柱ユニットを角として形成される平面図形の辺部分をなすように前記支柱ユニット間に架けられるトラスユニットと、前記平面図形の中心部分に位置する頂点部へ前記各支柱ユニットから架けられる屋根支持ユニットと、を備え、前記各トラスユニットは、全長が同一の二つの棒状部材を互いにヒンジ接続し且つその棒状部材の少なくとも一方は中心からずれた位置にヒンジ軸を設けてなるＸフレームを少なくとも四つ連結してなり、その両端に位置した前記Ｘフレームの自由端の上側を前記支柱ユニットに軸支するとともに下側を当該支柱ユニットに沿って摺動可能に軸支した構造とし、テントの組み立て状態において、前記トラスユニットの最高部が支柱ユニットの上端よりも高くなるようにするとともに、前記屋根支持ユニットは、前記支柱ユニットに基端を軸支されて前記頂点部まで架け渡される棟木フレームと、当該支柱ユニットに沿って摺動可能に基端が軸支されるとともに先端が前記棟木フレームの途中にヒンジ接続された方杖フレームとからなる構造をもつことを特徴とする折り畳み式テント。
【請求項２】
屋根支持ユニットの棟木フレームを中折れ式としてあることを特徴とする請求項１に記載の折り畳み式テント。
【請求項３】
支柱ユニットは、大径パイプと小径パイプを摺動可能に連結したテレスコピック式とされていることを特徴とする請求項１又は請求項２に記載の折り畳み式テント。
【発明の詳細な説明】
【０００１】
【発明の属する技術分野】
本発明は、折り畳み式のテントに関する。
【０００２】
【従来の技術】
天蓋やタープとも呼ばれる支柱で屋根幕を支える形式のテントは、最近では折り畳みフレーム式のものが主流をなしており、しかもワンタッチでできるだけ簡単に設置・収納作業を行える方式のものが売れ筋である。このような折り畳み式テントの代表例として、特表平８−５０８７９９号公報に開示されたようなものがあげられる。
【０００３】
この従来例のテントは、４本の脚（支柱）に端部を取り付けたはさみ形体の周辺トラス手段と、この４辺の周辺トラス手段の対向したまん中どうしを結ぶように設けた同じくはさみ形体の中央トラス手段と、からなる構造をもち、いわゆるマジックハンドのようにして簡単に折り畳み、拡げられるようになっている。
【０００４】
【発明が解決しようとする課題】
上記従来技術においては、４辺の周辺トラス手段の各中央頂点と、これら辺を結ぶ中央トラス手段により形成された中心頂点との５点により屋根幕を支える点支持構造のため、雨が降った場合に屋根幕が弛んで水が溜りやすいという改善点をもつ。
【０００５】
また、各脚の間を結ぶ４辺及びこれら４辺の中央を結ぶ２辺の計６辺のトラス手段が必要で、設置・収納作業時にトラスどうしが絡み合う可能性があり、部品点数も多く、見た目も複雑となっている。
【０００６】
本発明は、このような課題を解決せんとするものであり、屋根幕の支え構造を見直すとともに、よりシンプルで折り畳みやすいテントを提供するものである。
【０００７】
【課題を解決するための手段】
上記課題を解決するためにこの発明が採った手段は、３本以上の支柱ユニットと、これら支柱ユニットを角として形成される平面図形の辺部分をなすように前記支柱ユニット間に架けられるトラスユニットと、前記平面図形の中心部分に位置する頂点部へ前記各支柱ユニットから架けられる屋根支持ユニットと、を備え、前記各トラスユニットは、全長が同一の二つの棒状部材を互いにヒンジ接続し且つその棒状部材の少なくとも一方は中心からずれた位置にヒンジ軸を設けてなるＸフレームを少なくとも四つ連結してなり、その両端に位置した前記Ｘフレームの自由端の上側を前記支柱ユニットに軸支するとともに下側を当該支柱ユニットに沿って摺動可能に軸支した構造とし、テントの組み立て状態において、前記トラスユニットの最高部が支柱ユニットの上端よりも高くなるようにするとともに、前記屋根支持ユニットは、前記支柱ユニットに基端を軸支されて前記頂点部まで架け渡される棟木フレームと、当該支柱ユニットに沿って摺動可能に基端が軸支されるとともに先端が前記棟木フレームの途中にヒンジ接続された方杖フレームとからなる構造をもつことを特徴とする。
【０００８】
このテント構造においては、トラスユニットのＸフレームについて、二つの棒状部材を互いにまん中でヒンジ接続するのではなく、少なくとも一方の棒状部材は、中心からずれた位置にヒンジ軸をもつオフセット接続とし、このようなＸフレームを少なくとも四つ連結して一つのトラスユニットを構成するようにしてあるので、テントを拡げたときにトラスユニットをアーチ形に湾曲させることができる。これにより、頭部クリアランスを大きくして居住性を良くすることが可能である。
【０００９】
このような本発明のテントでは、トラスユニットの自由端の下側及び方杖フレームの基端をスライドさせつつ支柱ユニットを互いに閉じたり拡げたりするだけの簡単な操作で、設置・収納作業を行える。しかも、屋根支持ユニットとして、支柱ユニットからテント中央の頂点部まで至る棟木フレームが入っているため、屋根幕を“線”で支える構造をもっており、従来例の点支持構造に比べて屋根幕が弛みにくい。また特に、アーチ形となったトラスユニットの最高部が支柱ユニット上端よりも高い位置となる構造とすることができ、この場合、屋根幕を張ったときに、棟木フレームと棟木フレームとの間の谷部分に、トラスユニット最高部と頂点部とで支えられた稜線が形成されることになる。この支え構造によれば、水の溜りやすい谷部分に稜線が形成される格好となるので、ほぼ水溜まりを解消することができる。
【００１０】
さらに、棟木の役目をする屋根支持ユニットは棒状でよいため、従来のトラス形式に比べて単純な構造であり、部品点数も少なく壊れにくい。しかも、支柱ユニットを拡げて設置状態としたときに、トラスユニットが支柱間の辺を連結した梁となり且つ屋根支持ユニットが支柱間の対角線を連結した梁となるため、支柱間の支え構造が非常に強くなっている。
【００１１】
また、屋根支持ユニットの棟木フレームを中折れ式とし、さらに支柱ユニットについて、大径パイプと小径パイプを摺動可能に連結したテレスコピック式としておくと、非常にコンパクトに収納することが可能である。
【００１２】
【発明の実施の形態】
以下、本発明の一実施形態につき、図面を参照して説明する。
【００１３】
図１に、本例の折り畳み式テント１の斜視図を、支柱ユニット１０を拡げた設置状態で示している。本例の支柱ユニット１０は４本あり、したがってこれを拡げた場合に形成される平面図形は、四つの支柱ユニット１０を角にした四辺形である（図４参照）。その支柱ユニット１０間の辺部分には、四つのトラスユニット２０が梁として架け渡されている。また、四辺形中心部分に位置するようにした頂点部Ｔから各支柱ユニット１０までの間に屋根支持ユニット３０が架け渡され、四辺形の対角線をなすようにしてある。
【００１４】
各支柱ユニット１０は、図２に示すように、大径パイプ１１と、この大径パイプ１１内を摺動可能な小径パイプ１２とを組み合わせたテレスコピック式とされており、適宜高さ調整を行え且つコンパクトに収納できるようにしてある。図示の例は２段式のテレスコピックであるが、より段数を多くすればその分、コンパクトに収納できるようになる。
【００１５】
この支柱間の辺をなし、梁として作用する各トラスユニット２０はすべて同構造で、第１棒状部材２１と第２棒状部材２２とを中間でヒンジ接続したＸフレーム２３を、本例では四つ連結した構造をもつ。そして、その連結体の両端に位置したＸフレーム２３の自由端２４，２５のうち、上側の自由端２４を支柱ユニット１０の上端に軸支する一方、下側の自由端２５については、支柱ユニット１０に沿って摺動可能にして軸支している。すなわち、支柱ユニット１０に通して摺動するようにした部品のスライダ１３に、下側の自由端２５を軸支させるようにしてある。これにより、支柱ユニット１０を閉じる動作とともにスライダ１３を下方へスライドさせると、マジックハンドのようにして自然にＸフレーム２３つまりトラスユニット２０が折り畳まれ、簡単、コンパクトに収納することができるようになっている。なお、スライダ１３には、上死点と下死点とに係留できるように、弾性ピン及びピン孔等の手段による係留手段を設けておくと良い。
【００１６】
このようなトラスユニット２０の各Ｘフレーム２３をなす第１棒状部材２１と第２棒状部材２２とは、それぞれ図２（Ｂ）に詳細を示すように、ヒンジ軸の位置を違えてある。すなわち、両棒状部材２１，２２の全長ｄは同じであるが、第１棒状部材２１における一端からヒンジ軸までの長さｄ１と、第２棒状部材２２における一端からヒンジ軸までの長さｄ２とを比べると、ｄ２の方が短くなるようにしている。つまり、少なくとも第２棒状部材２２のヒンジ軸は中心を外したオフセット設計である。この第２棒状部材２２が、支柱ユニット１０の上端へ軸支される自由端２４となるように構成することで、トラスユニット２０は、拡げたときに両端よりも中央部分が高くなったアーチ形となり、頭上クリアランスを大きくとることが可能である。なお、本例では第１棒状部材２１のヒンジ軸も若干中心をはずした位置に形成してあり（ｄ１＝ｄ／２ではない）、４つのＸフレーム２３が問題なく連結されるよう工夫してある。
【００１７】
このような４辺をなすトラスユニット２０に加えて支柱間の対角線をなし、棟木の役割をする本例の屋根支持ユニット３０は、頂点部Ｔに先端を軸支されるとともに支柱ユニット１０の上端部に基端を軸支された棟木フレーム３１と、この棟木フレーム３１の途中に先端を軸支した方杖フレーム３２と、から構成されている。その方杖フレーム３２の基端はスライダ１３に軸支されており、トラスユニット２０の自由端２５とともに摺動するようにしてある。なお、自由端２５用のスライダ１３とは別に方杖フレーム３２用のスライダを設けても良いが、一緒にしておいたほうが操作性に優れる。また、棟木フレーム３１は、中央部に設けた中折れ部３３で半分に折り曲げられるようにされている。
【００１８】
この棟木フレーム３１及び方杖フレーム３２の組み合わせにより、図３に示すごとく屋根支持ユニット３０は、支柱ユニット１０を閉じる動作とともにスライダ１３を下方へスライドさせると、方杖フレーム３２に引っ張られて棟木フレーム３１が中折れ部３３で折れ曲がる結果、簡単作業でコンパクトに収納できるようになっている。
【００１９】
図４に、以上のようなテント１を拡げて屋根幕Ｒを張った状態について、上方からみた平面図を示している。図示のように、四辺形の角をなす支柱ユニット１０間の辺部分にトラスユニット２０が配設されるとともに、支柱ユニット１０間の対角線部分に屋根支持ユニット３０が配設されており、支柱ユニット１０に対する支えが非常に強くなっていることがわかる。
【００２０】
そして、屋根支持ユニット３０の棟木フレーム３１が対角線をなすようにして直線状に配設され、これにより屋根幕Ｒが線状に支持されているため、屋根幕Ｒの弛みが生じにくいものとなっている。さらに、頂点部Ｔとトラスユニット２０の最高部との支持により形成される稜線Ｒａが、棟木フレーム３１の支持により形成される稜線Ｒｂの間の谷線部分にそれぞれ形成されており、非常に雨水が溜りにくい形態となっていることがわかる。
【００２１】
【発明の効果】
本発明によれば、屋根支持ユニットの棟木フレームを採用したことにより、屋根幕の支え構造が改善され、且つ、構造がシンプルで折り畳みやすく壊れにくい折り畳み式のテントを提供することができる。また、上述したように、頂点部とトラスユニットの最高部との支持により形成される稜線が、棟木フレームの支持により形成される稜線の間の谷線部分にそれぞれ形成されており、非常に雨水が溜りにくい形態となる。
【図面の簡単な説明】
【図１】本発明に係る折り畳み式テントの斜視図。
【図２】本発明に係る折り畳み式テントを横から見た側面図。
【図３】屋根支持ユニットを抜き出して設置状態（実線）と収納状態示（想像線）で示した説明図。
【図４】本発明に係る折り畳み式テントの平面図。
【符号の説明】
１  テント
１０  支柱ユニット
１１  大径パイプ
１２  小径パイプ
１３  スライダ
２０  トラスユニット
２１  第１棒状部材
２２  第２棒状部材
２３  Ｘフレーム
２４  上側自由端
２５  下側自由端
３０  屋根支持ユニット
３１  棟木フレーム
３２  方杖フレーム
３３  中折れ部
Ｔ  頂点部
【図１】
0003938873.tif 000002
【図２】
0003938873.tif 000003
【図３】
0003938873.tif 000004
【図４】
0003938873.tif 000005